(57)【要約】【課題】全体を薄肉の合成樹脂により起立可能に形成したスタンディング薄肉容器であって、簡易な構造で製造も容易であり安価に得られるとともに、小さくまとめた状態で廃棄できるスタンディング薄肉容器を提案する。【解決手段】胴部３上端に起立した充填筒部２より収納物を充填して前記充填筒部２を扁平にシールし、また、このシール部分上方の充填筒部を、折り畳んだ胴部３を括るための括り環９として構成した。そして、折り畳んだ胴部３を括り環９に挿通嵌合して小体積を維持させた状態で廃棄できる如く構成した。【選択図】図１
2005239192.tif 000002
【特許請求の範囲】
【請求項１】
全体を薄肉の合成樹脂により一体に且つ起立可能に形成するとともに、胴部３上端に起立した充填筒部２より収納物を充填して前記充填筒部２を扁平にシールし、且つ、該胴部の上部コーナーにノズル形成用突部４を一体に突設した薄肉容器であって、前記シール部分上方の充填筒部２上端部を、折り畳んだ胴部３を括るための括り環９として構成したことを特徴とするスタンディング薄肉容器。
【請求項２】
前記括り環９が、一端を充填筒部２に連結した状態で分離形成可能な請求項１記載のスタンディング薄肉容器。
【発明の詳細な説明】
【技術分野】
【０００１】
本発明はスタンディング薄肉容器に関する。
【背景技術】
【０００２】
底部を形成するフィルムと、側壁部を形成する一対のフィルムを、その周縁部を融着シールして起立可能な袋状容器とした所謂スタンディングパウチが提案されている。（例えば、特許文献１参照）。このスタンディングパウチはシールされた一側縁上方にノッチが設けられ、該ノッチ近傍より延び、前記一側縁上方のコーナーをカットするための複数のハーフカット溝が設けられ、このノッチからハーフカット溝を切断することにより上端コーナー部を除去して開封し、収納物を注出する如く構成している。
【０００３】
また、収納物の分割使用を可能とするために、キャップ付きのスパウトを融着固定したものも提案されている。（例えば、特許文献２参照）このスタンディングパウチは、パウチ側壁部の上辺と側辺との一角に傾斜部を設け、該傾斜部に内容物を注出するためのスパウトを熱溶着したもので、スパウトは、パウチ側壁部に溶着される基部と、該基部から外方に向かって延びる外周面にネジ山を有する注出筒と、該注出筒の天面に熱溶着されるシール部材と、注出筒外周面のネジ山とネジ嵌合されるキャップと、該キャップの内面に設けられて注出筒天面に液密に当接するコンタクトリングとを備えている。
【特許文献１】特開２００１−２３３３５５号公報
【特許文献２】特開２００２−１０４４４６号公報
【発明の開示】
【発明が解決しようとする課題】
【０００４】
従来のスタンディングパウチは、一般に主容器に対する詰め替え用の容器或いは使い捨て容器として使用することを主目的とするため、安価に製造できる簡易構造のものが要望されている。その為上記した如きフィルムを融着して形成するという形態を採り、その目的を達成している。また、スパウトを備えたものは分割使用が可能で更に使用範囲が広がる便利なものであるが、その分構造が複雑化し、製造工程も増加するためコストアップに繋がるという問題がある。また、近年のゴミ処理事情を考慮して廃棄の際に小重量，小体積のものが要望されるが、これらのパウチは比較的弾力性に富むため、小容化が難しく、廃棄の際嵩張るという不都合を生じる。
【０００５】
本発明は上記した点に鑑みてなされたもので、簡易な構造であり、製造も容易で、安価に得られるとともに、廃棄の際に簡単な操作により廃棄物を小さくまとめることができ、廃棄物の嵩を当初の体積と比較して著しく小さくできるスタンディング薄肉容器を提案するものである。
【課題を解決するための手段】
【０００６】
本発明スタンディング薄肉容器は、上記課題を解決するため、全体を薄肉の合成樹脂により一体に且つ起立可能に形成するとともに、胴部３上端に起立した充填筒部２より収納物を充填して前記充填筒部２を扁平にシールし、且つ、前記胴部の上部コーナーにノズル形成用突部４を一体に突設した薄肉容器であって、前記シール部分上方の充填筒部２を、折り畳んだ胴部３を括るための括り環９として構成したことを特徴とする。
【０００７】
上記胴部３の形態は、ノズル形成用突部４との一体成形が可能で起立可能な形態であれば種々の形態を採用できるが、一般的なこの種のスタンディング薄肉容器の胴部の如く、中央部が上方へ凹んだ底壁部の周縁より、両側が上方へ行くに従って窄んだ形状の周壁部を延設した形態のものが好ましく採用できる。但しこれに限られず、例えば、上下が同径の筒状胴部を備えたものであっても良い。胴部３の肉厚は収納物の無い場合或いは収納物を充填した状態で起立可能な保形性を備えるのに充分な薄さを備えていれば特に限定されない。
【０００８】
また、胴部３の上端部には収納物を充填させるための充填筒部２を備えており、充填筒部２内の充填口６より収納物を充填後、融着，接着等の適宜固着手段により偏平状にシールしたシール部７を形成して充填口６を閉塞し、収納物を密閉収納している。このシール部７は括り環９を形成するためにその上方に所定幅あけた位置をシールする。
【０００９】
括り環９は、使用後胴部３を折り畳んで減容し、折り畳んだ胴部３を括るためのもので、一部を充填筒部２に連結した状態のものであっても、或いは充填筒部２から完全に切り離せるものであっても良い。前者の場合には、一部の不連続部分を有する環状をなす切溝８を設けることにより括り環９を形成できる。また、手によって容易に剪断できる形態のもので、例えばハーフカットラインのような所謂薄肉線や、ミシン目等の不連続破断線やこれらの組み合わせ等の分離線を切溝８に代えて設けても良い。
【００１０】
後者の場合には、シール部７上方に環状の上記した如き分離線を形成することにより括り環９を形成できる。
【００１１】
本発明スタンディング薄肉容器は、全体をブロー成形により形成する。ブロー成形としては、一般的なダイレクトブロー成形が好ましく採用できるが、その他、コールドパリソン法，射出吹込成形法等の従来使用されている成形方法を採用でき，形状等により選択することができる。ブロー成形手段を採用することにより、スタンディング薄肉容器を成形当初から起立させることができるため、充填時に一々充填口を広げる手間がなく、円滑な充填を可能とするとともに、取り扱いも極めて便利となる。
【００１２】
上記ノズル形成用突部４は、開封時に切断して注出口11を開口したノズル12を形成するもので、切断方法としては鋏，ナイフ，カッター等の道具を使用して行う。切断部位として、予め切断予定部分の目印として印刷による環状線の形成や環状凹陥部，環状凹溝等を形成しておくと良い。
【発明の効果】
【００１３】
本発明のスタンディング薄肉容器は、使用に当たってノズル形成用突部４を切断して注出口11を開口したノズル12を形成し、開口した注出口11より収納物を注出することができる。また、全体を薄肉の合成樹脂により一体に形成しているため、製造が容易で安価に得られる。更に、括り環９を設けているため、使用後胴部３を折り畳んで括り環９により減容状態で維持させておくことができ、廃棄の際に小体積での廃棄が可能である。特に、括り環９が一端を充填筒部２に連結した状態で分離形成可能に構成したものにあっては、一旦胴部を括った括り環９が外れても常時胴部と一体であり、再度簡単に廃棄物の減容化が行える。
【発明を実施するための最良の形態】
【００１４】
以下、本発明の実施例の形態を図面を参照して説明する。
【００１５】
図１は本発明スタンディング薄肉容器１の一例を示す側面図、図２は背面図である。スタンディング薄肉容器１は、全体を薄肉の合成樹脂により一体に且つ起立可能に形成するとともに、収納物を上端部の充填筒部２より充填して偏平にシールした胴部３を備え、該胴部の上部コーナーにノズル形成用突部４を一体に突設している。
【００１６】
胴部３は、中央部が山形に上方に凹んだ底壁部3aの周縁部より両側が上方に行くに従って窄まる形態の周壁部3bを立設しており、その上部前方のコーナー部分をノズル形成用突部４を突設するための凹部５に形成している。また、充填筒部２は凹部５後方の上端部に立設し、内部に充填口６を開口したもので、図示例では収納物を充填後、融着，接着等の適宜手段により扁平状にシールしたシール部７を上端に所定幅の間隔をあけて形成し、充填口６を閉塞して収納物を密閉収納している。
【００１７】
また、シール部７上方の充填筒部２には切溝８を設けており、折り畳んだ胴部３を括るための括り環９を形成している。切溝８はシール部７上方にシール部７に沿って形成され、後端部の一部を不連続とした環状に形成している。換言すれば環状の括り環９の後部一部が括り環９を画成した充填筒部２の後部一部に連結した状態にある。切溝８は成形時に形成しても良く、或いは収納物の充填時にシール部７のシール後に形成しても良い。
【００１８】
ノズル形成用突部４は、上記凹部５より斜め前方に一体に突設し、基端開口を胴部３内と連通するとともに、先端部を閉塞して突設している。ノズル形成用突部４の中間部所定位置には環状の凹陥部10を設けており、この凹陥部10に於いて鋏，カッター，ナイフ等の道具を使用して切断し、図３に示す如く注出口11を開口したノズル12を形成する。
【００１９】
上記の如く構成したスタンディング薄肉容器１は、充填筒部２を介して収納液を充填した後、充填筒部２外周をヒートシールして閉塞する。使用に当たっては、ノズル形成用突部４の凹陥部10の中央を鋏等の道具を用いて切断し、注出口11を開口した基端部をノズル12として使用する。次いで、収納液を使い切った後に胴部３を丸める如く折り畳み、この折り畳み状態の胴部３の一端部を、括り環９に挿入して折り畳み減容状態を維持し、廃棄する。尚、切溝８に代えて薄肉線等の破断可能に構成された分離線を設けたものの場合には、分離線を手によって破断して括り環９を形成し、同様に廃棄する。
【図面の簡単な説明】
【００２０】
【図１】本発明スタンディング薄肉容器の側面図である。（実施例１）
【図２】本発明スタンディング薄肉容器の背面図である。（実施例１）
【図３】本発明スタンディング薄肉容器の要部側面図である。（実施例１）
【図４】本発明スタンディング薄肉容器を廃棄するために小容化した状態の斜視図である。（実施例１）
【符号の説明】
【００２１】
２…充填筒部，３…胴部，７…シール部，９…括り環
【図１】
2005239192.tif 000003
【図２】
2005239192.tif 000004
【図３】
2005239192.tif 000005
【図４】
2005239192.tif 000006